(57)【要約】【課題】被取付体への摺動子の取付作業が容易に行えて、その取付作業の自動化も容易に図ることができる摺動子及び摺動子の被取付体への取付構造を提供すること。【解決手段】移動体（被取付体）５０に当接する当接面１９を有する基部１１と、基部１１の外周辺１１１から突出し且つ突出した根元側部分を基部１１の当接面１９とは反対面側に向けて折り返してその先端を摺接部２３としてなる一対の接点用アーム部２１とを具備する摺動子１０である。一対の接点用アーム部２１の間の基部１１の外周辺１１１から接点用アーム部２１の突出方向と同一方向に向けて突出し且つ突出したその先端側を基部１１の当接面１９側に向けて折り曲げてその先端に移動体５０への取付部３３を形成してなる取付アーム部３１を設ける。基部１１には移動体５０に設けた位置決め突起５９を挿入する位置決め部１５を設ける。【選択図】図２
2014116226.tif 000002
【特許請求の範囲】
【請求項１】
被取付体に当接する当接面を有する基部と、
前記基部外周の１辺から突出し、且つ突出した根元側部分を基部の前記当接面とは反対面側に向けて折り返してその先端を摺接部としてなる接点用アーム部と、を具備する摺動子であって、
前記接点用アーム部の根元側部分近傍の前記基部の外周辺から前記接点用アーム部の突出方向と同一方向に向けて突出し、且つ突出したその先端側を前記基部の当接面側に向けて折り曲げてその先端に前記被取付体への取付部を形成してなる取付アーム部を設けたことを特徴とする摺動子。
【請求項２】
請求項１に記載の摺動子であって、
前記摺動子の取付部には、前記被取付体に設けた係止凹部に挿入してその内周面に係止される係止爪部が設けられていることを特徴とする摺動子。
【請求項３】
請求項１に記載の摺動子であって、
前記基部には、前記被取付体に設けた位置決め突起を挿入する位置決め部が設けられていることを特徴とする摺動子。
【請求項４】
請求項１に記載の摺動子の基部を、被取付体の摺動子取付面に取り付ける摺動子の被取付体への取付構造であって、
前記摺動子の取付部に係止爪部を設け、この係止爪部を前記被取付体の摺動子取付面に設けた係止凹部に圧入することで前記係止爪部を前記係止凹部の内周面に係止して固定することを特徴とする摺動子の被取付体への取付構造。
【請求項５】
請求項４に記載の摺動子の被取付体への取付構造であって、
前記被取付体の摺動子取付面に位置決め突起を設けると共に、前記摺動子の基部に前記被取付体の位置決め突起を挿入する位置決め部を設け、
前記摺動子の係止爪部を前記被取付体の係止凹部内に係止すると共に、前記摺動子の位置決め部に前記被取付体の位置決め突起を挿入して位置決めすることを特徴とする摺動子の被取付体への取付構造。
【発明の詳細な説明】
【技術分野】
【０００１】
本発明は、スライド式スイッチ等の電子部品に用いられる摺動子及びこの摺動子の被取付体への取付構造に関するものである。
【背景技術】
【０００２】
従来、スライド式スイッチやスライド式可変抵抗器として、例えば特許文献１に示すような構造のスライド式電子部品が利用されている。特許文献１の図１〜図３に示すスライド式電子部品（１）は、ケース（１０）内にスライド自在に摺動型物（２０）を収納し、摺動型物（２０）の下面に取り付けた摺動子（３０）の摺動接点（３３）をその下側に配置したフレキシブル回路基板（４０）のスイッチパターン（４１）に当接し、摺動型物（２０）と共に摺動子（３０）を移動させることで、スイッチパターン（４１）の出力を変化させる構造に構成されている。
【０００３】
そして摺動型物（２０）への摺動子（３０）の取り付けは、摺動型物（２０）の下面に設けた２つの小突起状の固定部（２７）を摺動子（３０）に設けた２つの貫通穴からなる取付固定部（３４）に挿入し、これら２つの固定部（２７）の先端を、図２に示すように熱かしめして潰すことによって行われていた。
【先行技術文献】
【特許文献】
【０００４】
【特許文献１】特開２００８−７１５９１号公報
【発明の概要】
【発明が解決しようとする課題】
【０００５】
しかしながら、上記熱かしめの工程はこれを自動化することが困難なため、従来はこの取付作業を手作業で行っていた。このため作業性の向上が図れず、その取付工程に時間がかかっていた。
【０００６】
本発明は上述の点に鑑みてなされたものでありその目的は、被取付体への摺動子の取付作業が容易に行えて、その取付作業の自動化も容易に図ることができる摺動子及び摺動子の被取付体への取付構造を提供することにある。
【課題を解決するための手段】
【０００７】
本発明にかかる摺動子は、被取付体に当接する当接面を有する基部と、前記基部外周の１辺から突出し且つ突出した根元側部分を基部の前記当接面とは反対面側に向けて折り返してその先端を摺接部としてなる接点用アーム部とを具備する摺動子であって、前記接点用アーム部の根元側部分近傍の前記基部の外周辺から前記接点用アーム部の突出方向と同一方向に向けて突出し且つ突出したその先端側を前記基部の当接面側に向けて折り曲げてその先端に前記被取付体への取付部を形成してなる取付アーム部を設けて構成されている。
このように、接点用アーム部の根元側部分近傍から突出する取付アーム部の先端の取付部を被取付体に取り付けるように構成したので、１か所の取り付けのみで摺動子を被取付体に固定でき、その取付作業が容易に行えるようになる。
ところでこの摺動子は、基部から接点用アーム部を突出した後に折り返す構成なので、接点用アーム部の折り返した先に設けた摺接部を回路基板の摺接パターン上に当接させて摺動する際、接点用アーム部の折り返し部にこれを被取付体から引き離す方向の力が作用する場合がある。そしてもしこの折り返し部が被取付体から引き離された場合、この折り返し部が摺接パターンに当接し、出力信号に誤動作を生じてしまう恐れがある。本発明では、被取付体に取り付ける取付アーム部を、接点用アーム部の根元側部分近傍から突出したので、前記接点用アーム部の折り返し部をその近傍部分で被取付体に固定でき、折り返し部の被取付体からの引き離しを確実に防止でき、１か所のみの取り付けであっても、接点用アーム部の折り返し部が被取付体から引き離されることはなく、出力信号の誤動作を確実に防止できる。なお摺動子の前記接点用アーム部が突出する辺の反対側の辺部分は、もしその部分が被取付体から離れても、その下側に摺接部があるので、摺接パターンに当接する恐れはなく、出力信号の誤動作の問題は生じない。
【０００８】
ここで前記摺動子の取付部には、前記被取付体に設けた係止凹部に挿入してその内周面に係止される係止爪部を設けることが好ましい。このように構成すれば、摺動子の取付部を被取付体の係止凹部に挿入（圧入）するだけで、容易に取付部を被取付体に固定でき、これによってその取付作業が容易に行え、その取付作業の自動化も容易に図れる。また熱かしめを用いる場合に比べて取付時間の短縮化も図ることができる。
【０００９】
また前記基部には、前記被取付体に設けた位置決め突起を挿入する位置決め部を設けることが好ましい。これによって摺動子を取付部と位置決め部の両者によって被取付体に対して正確に位置決めすることができる。
【００１０】
また本発明にかかる摺動子の被取付体への取付構造は、前記摺動子の取付部に係止爪部を設け、この係止爪部を前記被取付体の摺動子取付面に設けた係止凹部に圧入することで前記係止爪部を前記係止凹部の内周面に係止して固定することを特徴とする。
【００１１】
また前記摺動子の被取付体への取付構造においては、前記被取付体の摺動子取付面に位置決め突起を設けると共に、前記摺動子の基部に前記被取付体の位置決め突起を挿入する位置決め部を設け、前記摺動子の係止爪部を前記被取付体の係止凹部内に係止すると共に、前記摺動子の位置決め部に前記被取付体の位置決め突起を挿入して位置決めすることが好ましい。
【発明の効果】
【００１２】
本発明によれば、被取付体への摺動子の取付作業が容易に行え、またその取付作業の自動化も容易に図ることができる。
【図面の簡単な説明】
【００１３】
【図１】摺動子１０の斜視図である。
【図２】摺動子１０と被取付体５０を下側から見た斜視図である。
【図３】摺動子１０を取り付けた被取付体５０を下側から見た斜視図である。
【図４】移動体５０に摺動子１０を取り付ける際の両者の位置関係を示す図である。
【図５】移動体５０に摺動子１０を取り付ける際の両者の位置関係を示す図である。
【図６】係止凹部５７内に取付部３３を圧入した状態を示す要部拡大断面図である。
【図７】スライド式電子部品１００の斜視図である。
【図８】スライド式電子部品１００の断面図（図７のＢ−Ｂ断面図）である。
【図９】スライド式電子部品１００の分解斜視図である。
【図１０】スライド式電子部品１００を下側から見た分解斜視図（但し、フレキシブル回路基板１４０と基台１５０の記載は省略）である。
【発明を実施するための形態】
【００１４】
以下、本発明の実施形態を図面を参照して詳細に説明する。図１は本発明の１実施形態にかかる摺動子１０の斜視図である。また図２は前記摺動子１０と、摺動子１０を取り付ける被取付体（以下「移動体」という）５０を下側から見た斜視図である。これらの図に示すように摺動子１０は、１枚の弾性金属板（例えばステンレス板やリン青銅板等）製であり、略矩形平板状の基部１１と、基部１１の周囲の４辺の内の１つの辺（外周辺）１１１から突出して折り返される一対の接点用アーム部２１，２１と、前記辺１１１の前記接点用アーム部２１，２１の間から突出する取付アーム部３１とを具備して構成されている。なお以下の説明において、「上」とは折り返された接点用アーム部２１から基部１１側を見る方向をいい、「下」とはその反対方向をいうものとする。
【００１５】
基部１１内には、ガイド部１３と位置決め部１５が形成されている。ガイド部１３と位置決め部１５は、何れも円形の貫通孔であり、ガイド部１３の方が小径に形成されている。位置決め部１５の内周の１８０°対向する位置には切り欠き溝１７，１７が形成されている。基部１１の上面は、下記する移動体５０の摺動子取付面５５に当接する当接面１９となっている。
【００１６】
一対の接点用アーム部２１，２１は何れも直線帯状であって、基部１１の辺１１１から所定間隔を隔てて同一方向に向けて平行に突出しており、且つ突出した接点用アーム部２１を折り返し部２２にて基部１１の当接面１９とは反対面側に向けて折り返している。そして各接点用アーム部２１の先端近傍部分には下方向に向けて突出するように湾曲させることで摺接部２３が形成されている。また各接点用アーム部２１には、その先端中央から所定距離にわたって縦割り状にスリット２５が形成されている。
【００１７】
取付アーム部３１は直線帯状であって、一対の接点用アーム部２１，２１を突出したその間の辺１１１から、即ち接点用アーム部２１の根元側部分近傍の基部１１の辺１１１から、接点用アーム部３１の突出方向と同一方向に向けて突出し、且つ突出したその先端側を前記基部１１の当接面１９側に向けて直角に折り曲げてその先端に取付部３３を形成して構成されている。取付部３３は下記する移動体５０に設けた係止凹部５７に圧入（挿入）して、移動体５０に取り付けられる部分である。取付部３３は、取付アーム部３１の先端側部分を幅方向両側に広げて略矩形状に形成されており、その左右両側辺の先端側部分は、先端に向かって両側辺間の幅を狭める傾斜面からなる挿入ガイド部３４となっている。また取付部３３の左右両側辺の根元部分は、略直角の角部からなる係止爪部３５となっている。これら一対の係止爪部３５は、下記する移動体５０の係止凹部５７に取付部３３を圧入（挿入）した際に係止凹部５７の内周面に係止される。
【００１８】
移動体５０は合成樹脂の一体成形品であり、略平板矩形状の本体部５１と、本体部５１の外周側辺から突出するレバー５３とを具備して構成されている。本体部５１の下面は摺動子取付面５５であり、この摺動子取付面５５には前記摺動子１０の取付部３３を圧入する略矩形状の貫通孔からなる係止凹部５７と、前記摺動子１０の位置決め部１５を挿入する円柱状の小突起からなる位置決め突起５９とが設けられている。係止凹部５７と位置決め突起５９は移動体５０の移動方向（図２の矢印Ａ方向）に向かう直線上に並んで形成されている。係止凹部５７内周面の、前記移動体５０の移動方向に直交する方向の内周面間の幅寸法は、前記取付部３３の一対の係止爪３５間の幅寸法よりも若干小さい寸法となっており、これによって取付部３３は係止凹部５７内に圧入されるように構成されている。一方位置決め突起５９の外径寸法は、前記位置決め部１５の内径寸法よりも若干小さい寸法となっており、これによって位置決め突起５９は位置決め部１５にほぼぴったりスムーズに（圧入ではなく）挿入されるように構成されている。また位置決め突起５９の高さ寸法は、この移動体５０に摺動子１０を取り付けて下記するフレキシブル回路基板１４０上を移動する際に、フレキシブル回路基板１４０に当接しない高さ寸法に形成されている（即ち位置決め突起５９の下端面が下記する脚部６１の下端面よりも上の位置になるように形成されている）。また移動体５０の４隅には、その上下面から突出する同一高さの脚部６１が設けられている。さらに移動体５０の上面には、図９に示すように、クリック係合部６３が形成されている。クリック係合部６３は移動体５０の移動方向Ａに向けて３つの凹部６３ａ，６３ｂ，６３ｃを並べるように設けて構成されている。
【００１９】
次に移動体５０への摺動子１０の取り付け方法を説明する。即ち、移動体５０に摺動子１０を取り付けるには、まず移動体５０下面の摺動子取付面５５に、摺動子１０の基部１１の当接面１９を対向させて両者を接近させて行く。摺動子１０を吸着ヘッドを用いて自動的に移動体５０に装着する場合は、摺動子１０の基部１１の下面（当接面１９の反対側の面）の中央（位置決め部１５とガイド部１３の間の面）に吸着ヘッドの吸着部を当接して基部１１を吸着し、同時に吸着ヘッドに設けた一対の位置決めピンを位置決め部１５とガイド部１３に挿入して吸着ヘッドに対する摺動子１０の位置決めを行う。そしてこの吸着ヘッドを移動体５０の摺動子取付面５５に接近させていく。
【００２０】
ここで図４，図５は、移動体５０に摺動子１０を取り付ける際の両者の位置関係を示す図である。即ち移動体５０の摺動子取付面５５に摺動子１０の当接面１９を両面が平行のまま接近させていくと、まず図４に示すように、移動体５０の位置決め突起５９（先端の径が小さくなっている円錐状の外周面の部分を越えた最も太くなっている円筒状の外周面の部分）が摺動子１０の位置決め部１５に挿入され、位置決めされる。このとき摺動子１０の取付部３３先端の挿入ガイド部３４の部分は、移動体５０の係止凹部５７の入口部分内に挿入されてはいるが、遊びを有しているので、まずは移動体５０の位置決め突起５９に対して摺動子１０の位置決め部１５の部分が正確に位置決めされる。さらに移動体５０の摺動子取付面５５に摺動子１０の当接面１９を接近させていくと、図５に示すように、摺動子１０の取付部３３先端部分（挿入ガイド部３４の部分）が移動体５０の係止凹部５７内の入口付近の内周面に当接する。これによって移動体５０の係止凹部５７に対して摺動子１０の取付部３３の位置が位置決めされる。つまり移動体５０に対して摺動子１０が２点の位置で位置決めされ、しかも一方の点を位置決めした後にもう一方の点を位置決めするので、両者間の位置決めは無理なくスムーズに正確に行われる。そしてさらに移動体５０に摺動子１０を接近させていくことで、移動体５０の位置決め突起５９をさらに摺動子１０の位置決め部１５に挿入し、同時に摺動子１０の取付部３３を移動体５０の係止凹部５７に圧入し、図３に示すように、摺動子１０の当接面１９を移動体５０の摺動子取付面５５に当接させる。図６は係止凹部５７内に取付部３３を圧入した状態を示す要部拡大断面図である。同図に示すように、係止凹部５７に圧入された取付部３３の両係止爪部３５は、係止凹部５７の内周面に強く引っ掛かって（食い込んで）係止され、特に取付部３３を引き抜く方向の力に対して係止爪部３５が係止凹部５７の内周面に食い込んでこれを阻止する。これによって確実に摺動子１０が移動体５０に固定される。
【００２１】
以上のように、接点用アーム部２１の根元側部分近傍から突出する取付アーム部３１の先端の取付部３３を移動体５０に取り付けるように構成したので、１か所の圧入による取り付けのみで摺動子１０を移動体５０に固定でき、その取付作業が容易に行えるようになる。即ち、摺動子１０の取付部３３は移動体５０の係止凹部５７に挿入（圧入）するだけで、容易に取付部３３を移動体５０に固定でき、これによってその取付作業が容易に行え、その取付作業の自動化も容易に図れる。また熱かしめを用いる場合に比べて、取付時間の短縮化も図ることができる。さらに摺動子１０をその取付部３３によって移動体５０に取り付けるだけでなく、基部１１に設けた位置決め部１５によって移動体５０に対する摺動子１０の正確な位置決めを図ることができる。
【００２２】
図７は上記摺動子１０と移動体５０を用いて構成される電子部品（以下「スライド式電子部品」という）１００の斜視図、図８はスライド式電子部品１００の断面図（図７のＢ−Ｂ断面図）、図９はスライド式電子部品１００の分解斜視図、図１０はスライド式電子部品１００を下側から見た分解斜視図（但し、フレキシブル回路基板１４０と基台１５０の記載は省略）である。
【００２３】
これらの図に示すように、スライド式電子部品１００は、ケース１１０内に前記摺動子１０を取り付けた移動体５０を収納し、その下にフレキシブル回路基板１４０と基台１５０を設置して構成されている。
【００２４】
ケース１１０は金属板を折り曲げて構成され、移動方向（スライド移動方向）Ａを長手方向とする略長方形の平板状に形成された上面部１１１と、上面部１１１の四辺を下方に略直角に折り曲げてなる側壁部１１２とを備えた形状であり、下面側には側壁部１１２で囲まれた凹部状の収納部１１３が形成されている。上面部１１１の中央には移動方向Ａを長手方向とする略長方形状の開口部１１４が設けられ、開口部１１４内には弾接アーム部１１５が設置されている。弾接アーム部１１５は略コ字状であり、その両端は開口部１１４の長手方向に沿う一内周辺に接続されている。また弾接アーム部１１５の中央には、前記移動体５０のクリック係合部６３に弾接する弾接部１１７が下方向に向かって湾曲・突出するように形成されている。一方、ケース１１０の長手方向に沿う両側壁部１１２の下端辺の両端近傍には、下方に伸びる舌片状の固定部１１８が形成されている。またケース１１０の長手方向に沿う一方の側壁部１１２の下端辺の中央部分には、移動体５０のレバー５３を挿通させる切り欠き部１１９が形成されている。
【００２５】
フレキシブル回路基板１４０は、可撓性を有する合成樹脂フイルムの表面に、前記摺動子１０の摺接部２３が摺接する直線状の一対の摺接パターン１４１を形成して構成されている。摺接パターン１４１は図９では簡略化して図示しているが、実際はこの例では一方がコモンパターン、もう一方がスイッチ用の断続したパターンとなっていて、両者でスライド用のスイッチパターンを構成している。またフレキシブル回路基板１４０の前記ケース１１０の各固定部１１８に対向する位置に、矩形状の開口からなる取付固定部１４２を形成している。
【００２６】
基台１５０は、金属製あるいは合成樹脂製等の硬質の平板であり、前記フレキシブル回路基板１４０の取付固定部１４２に対向する位置に、取付固定部１４２と同形状の開口からなる取付部１５２を設けて構成されている。
【００２７】
スライド式電子部品１００を組み立てるには、まず前述の方法によって移動体５０に摺動子１０を取り付ける。次にこの摺動子１０を取り付けた移動体５０をケース１１０の下面側から収納部１１３内に収納する。このときレバー５３の根元部分がケース１１０の切り欠き部１１９内に位置する。またこのときケース１１０の弾接部１１７は移動体５０のクリック係合部６３に弾接する。そして、ケース１１０の下面側にフレキシブル回路基板１４０と基台１５０を重ねて設置し、その際フレキシブル回路基板１４０の各取付固定部１４２と基台１５０の各取付部１５２を貫通したケース１１０の各固定部１１８をそれぞれ基台１５０の下面に向かって折り曲げれば、スライド式電子部品１００が完成する。このとき、摺動子１０の一対の摺接部２３はフレキシブル回路基板１４０の一対の摺接パターン１４１にそれぞれ当接する。なお上記組立手順はその一例であり、他の各種異なる組立手順を用いて組み立てても良いことはいうまでもない。
【００２８】
そしてケース１１０から突出するレバー５３を操作することで、例えば図８に示す位置（移動方向Ａの一端側）にある移動体５０を同図に示す左側に移動すると、弾接アーム部１１５が弾性変形しながら弾接部１１７が凹部６３ａと凹部６３ｂの間の仕切りを乗り越え、左側の凹部６３ａから中央の凹部６３ｂに係合し、その際操作者にクリック感覚が伝わると同時に、摺動子１０の摺接部２３が摺接パターン１４１上を摺動してスイッチのオンオフ出力が変化する。同様に移動体５０をさらに左側に移動すれば、弾接アーム部１１５の弾接部１１７が凹部６３ｂと凹部６３ｃの間の仕切りを乗り越えて右側の凹部６３ｃに係合し、クリック感覚が生じると共にスイッチのオンオフ出力が変化する。
【００２９】
ところで、図８に示すように、摺動子１０は、基部１１から接点用アーム部２１を突出した後に折り返す構成なので、接点用アーム部２１の折り返した先に設けた摺接部２３をフレキシブル回路基板１４０の摺接パターン１４１上に弾接させて摺動する際に、接点用アーム部２１の折り返し部２２にこれを移動体５０から引き離す力（図８に示す矢印Ｃ方向の力）が作用する場合がある。そしてもしこの折り返し部２２が移動体５０から引き離された場合、この折り返し部２２がフレキシブル回路基板１４０の摺接パターン１４１に当接し、出力信号に誤動作を生じてしまう恐れがある。これに対してこの摺動子１０では、移動体５０に取り付ける取付アーム部３１を、接点用アーム部２１の根元側部分近傍から突出したので、接点用アーム部２１の折り返し部２２をその近傍部分で移動体５０に固定でき、折り返し部２２の移動体５０からの引き離しを確実に防止でき、１か所のみの取り付けであっても、接点用アーム部２１の折り返し部２２が移動体５０から引き離されることはなく、出力信号の誤動作を確実に防止できる。なお摺動子１０の接点用アーム部２１が突出する辺の反対側の端部近傍部分（図８の部分２９辺り）は、もしその部分が移動体５０から離れても、その下側に摺接部２３があるので、摺接パターン１４１に当接する恐れはなく、出力信号の誤動作の問題は生じない。
【００３０】
上記実施形態ではスライド移動方向として直線方向を示したが、スライド移動方向は、円弧方向やその他の曲線方向など、直線方向以外の各種方向を含む概念である。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、前記移動体５０の係止凹部５７は、貫通する穴のみでなく、有底の穴や溝や切り欠き等でも良い。また取付部３３は係止凹部５７に圧入することで取り付けられる構造のみならず、例えば取付部３３を係止凹部５７に挿入して移動体５０の（反対面側）上面側でその先端を折り曲げるなどして取り付ける構造であっても良く、要は移動体５０に取り付ける構成であればよい。
【００３２】
また摺動子１０を取り付けるのは移動体５０に限定されず、摺動子１０を取り付ける被取付体であれば、他の部材であっても良い。例えば静止している被取付体に摺動子１０を取り付け、回路基板側を移動させる構成であっても良い。
【００３３】
摺動子１０から突出する接点用アーム部２１は、２本に限らず、１本または３本以上であっても良い。また取付アーム部３１は所定間隔を隔てて同一方向に向けて突出する複数の接点用アーム部２１，２１の間に配置するのが左右のバランス上好ましいが、本発明はこれに限られず、要は接点用アーム部２１の根元側部分近傍に配置するものであればよい。また摺動子１０の取付部３３に設ける係止爪部３５の形状、構造も種々の変更が可能である。
【００３４】
また上記例では摺動子１０の基部１１に、移動体５０に設けた位置決め突起５９を挿入する貫通孔からなる位置決め部１５を設けたが、位置決め部１５は必ずしも貫通孔でなくても良く、例えば溝などによって形成しても良い。また場合によっては位置決め部１５は設けなくても良い。即ち例えば移動体５０に摺動子収納凹部を設け、これに摺動子をぴったり挿入することで位置決めを行っても良い。また例えば手作業で摺動子１０を移動体５０に取り付けるような場合等は、ガイド部１３を設けなくても良い。
【符号の説明】
【００３５】
１０  摺動子
１１  基部
１１１  外周辺（辺）
１３  ガイド部
１５  位置決め部
１９  当接面
２１  接点用アーム部
２２  折り返し部
２３  摺接部
３１  取付アーム部
３３  取付部
３５  係止爪部
５０  移動体（被取付体）
５５  摺動子取付面
５７  係止凹部
５９  位置決め突起
【図１】
2014116226.tif 000003
【図２】
2014116226.tif 000004
【図３】
2014116226.tif 000005
【図４】
2014116226.tif 000006
【図５】
2014116226.tif 000007
【図６】
2014116226.tif 000008
【図７】
2014116226.tif 000009
【図８】
2014116226.tif 000010
【図９】
2014116226.tif 000011
【図１０】
2014116226.tif 000012